(57)【要約】【課題】本発明は、従来の機械的加工が困難とされていた建築物の入り隅部の外装壁、雨樋の下の外装壁等の溝加工を容易に加工することが出来る加工冶具を提供する。【解決手段】建築物の外装壁の表面に密接し得る基板３上に、外装壁の表面に溝加工を施すことが可能な回転式切削工具２をフレーム４を介して５０度〜７０度傾けて取付け、かつ回転式切削工具２の先端部の回転刃５に隣接する基板３の所定位置に切欠部７を設けて構成した加工冶具１の構造である。【選択図】　　　　図１
2004122617.tif 000002
【特許請求の範囲】
【請求項１】
外装壁の表面に密接し得る基板上にフレームを介して溝加工を施すことが可能な回転式切削工具を基板に対して所定角度傾斜させて取付固定し、かつ前記回転式切削工具の先端部に隣接する基板の所定部分に切欠部を設けて構成したことを特徴とした加工冶具。
【請求項２】
前記基板上に設けたスライドガイドに沿って前記回転式切削工具を前後方向に移動し得る如く構成したことを特徴とする請求項１の加工冶具。
【発明の詳細な説明】
【０００１】
【発明の属する技術分野】
本発明は、既存の外装壁表面に溝加工を施すことが可能な加工冶具に係り、特に加工が困難な建築物の入り隅部の外装壁、雨樋の下の外装壁等の加工が困難な表面に溝加工を施すことが可能な加工冶具に関するものである。
【０００２】
【従来の技術】
近年、建物の外装材として軽量気泡コンクリートパネル（以下ＡＬＣパネルと表示する）が大量に使用され、最近では、軽量で高い耐火性と断熱性を発揮する軽量気泡コンクリートパネルを用いて外壁を構成した住宅が多くなっている。このような住宅でも、表面の塗装材は経時的に劣化するため、劣化した部分を補修することが必要となる。このような場合などに、劣化した部分を新築時と同様の状態に戻すような処理や、新築時とな異なる仕様で改修する所謂リフォームを行うことがある。
【０００３】
本件特許出願人は、既存の外装壁表面にリフォームを施すに当っては、外装壁の表面に所定の溝加工を施して目地模様を形成し、外装壁全体のイメージを大きく変化させる方法を採用し、既存の外装壁表面のリフォームを、施工性、経済性、意匠性及び耐久性に優れた加工方法で実施するために、例えば特許文献１、或は、特願２００２−８５８４号、特願２００２−６００３５号等に示す発明を開発して特許出願している。
【０００４】
【特許文献１】
特開２００１−３５５３２４号公報
【０００５】
【発明が解決しようとする課題】
既存の外装壁表面にリフォームを施すに当って、外装壁の表面に所定の溝を設けて目地模様を形成して全体のイメージを変化させるリフォーム方法は、比較的施工が容易でコストが安価であり、タイル・サイディングボードを積層する場合と異なって建築物に不必要な重量を掛ける心配はないが、建築物の入り隅部の外装壁、雨樋の下の外装壁の表面に機械的に表面加工をすることは困難である問題があった。
【０００６】
即ち、例えば既存の外装壁表面に、回転式切削工具を先端に有する加工装置を用いて溝加工をする場合に、入り隅部に加工装置が近づくと、加工装置に取付けられたモーター部或はカバー部が入り隅部のコーナー部に干渉するために、続けて加工をすることが出来なくなる問題があった。
【０００７】
従って、この加工装置を用いて加工を行うことが出来ない入り隅部の外装壁表面を加工するに当っては、機械的な作業が出来ないので、例えばノミ等を手に持って手作業で加工する必要がある。
【０００８】
しかし、このように手作業で加工する場合には、熟練を要し、かつ施工性が悪く、しかも精度の良い溝加工を効率良く施すことが極めて困難である問題が生ずる。
【０００９】
本発明に係る加工冶具は、前述の多くの問題点に鑑み開発された全く新しい技術であって、特に既存の外装壁の表面に溝加工を施すことが可能な加工装置の回転式切削工具を基板に対して所定角度傾斜させて取付け固定し、かつ該回転式切削工具の先端部に隣接する基板の所定部分に切欠部を設けて加工冶具を構成し、該加工冶具を用いて従来の加工装置では加工が困難であった建築物の入り隅部の外装壁、雨樋の下の外装壁等の加工が困難な表面に、溝加工を施すことを可能とした加工冶具の技術を提供するものである。
【００１０】
【課題を解決するための手段】
本発明に係る加工冶具は、前述の従来の問題点を根本的に改善した発明であって、その第１発明の要旨は、外装壁の表面に密接し得る基板上にフレームを介して溝加工を施すことが可能な回転式切削工具を基板に対して所定角度傾斜させて取付固定し、かつ前記回転式切削工具の先端部に隣接する基板の所定部分に切欠部を設けて構成したことを特徴とした加工冶具である。
【００１１】
前述の第１発明に係る加工冶具に於ては、ＡＬＣパネルで構成された外装壁の表面に溝加工を施すことが可能な回転式切削工具を、フレームを介して基板上に所定角度傾斜させて取付固定して加工冶具を構成したので、回転式切削工具の先端部を基板の先端縁に隣接させることが出来る。従って、該基板を外装壁の表面に沿って摺動させることによって、建築物の入り隅部の外装壁、雨樋の下の外装壁等の加工が困難な表面に精度の良い溝を簡単に機械的に施工することが出来る。このような加工が困難な表面に精度の良い溝を奥まで容易に施工するためには傾斜角度は約５０度〜７０度が好ましい。
【００１２】
さらに、本発明に係る加工冶具は、前述のように回転式切削工具の先端部が隣接する基板の所定部分に、切欠部を設けて構成したので、回転式切削工具の切削によって生ずる切削屑をスムーズに排出すると共に、基板の先端部が入り隅部に干渉することを防止出来、さらに回転式切削工具の先端に設けられた回転刃の位置を容易に確認出来るように構成されている。
【００１３】
本発明に係る加工冶具の第２発明の要旨は、前記基板上に設けたスライドガイドに沿って前記回転式切削工具を前後方向に移動し得る如く構成したことを特徴とした第１発明の加工冶具である。
【００１４】
前述の第２発明の加工冶具は、回転式切削工具を基板上のスライドガイドに沿って前後方向に移動し得る如く構成したので、基板上で回転式切削工具のみをスライドガイドに沿って移動させることによって、加工が困難とされていた建築物の入り隅部の外装壁、雨樋の下の外装壁等に溝加工を精度良く施工することが出来る。
【００１５】
【発明の実施の形態】
図により本発明に係る加工冶具の一実施例を具体的に説明すると、図１は本発明に係る加工冶具の正面図、図２は図１の加工冶具の側面図、図３は図１の加工冶具の平面図、図４は図１の加工冶具の底面図である。
【００１６】
図１乃至図３に於て、１は本発明に係る加工冶具であって、外装壁の表面に溝を切削し得る回転式切削工具（ルーター）２と、外装壁の表面に沿って摺動し得る基板３と、前記回転式切削工具２を該基板３に対して約６０度の角度で傾斜した状態で取付固定し得るフレーム４とより構成されている。
【００１７】
前記回転式切削工具２は、先端部にＡＬＣパネルよりなる外装壁の表面に溝加工を施すことが出来る回転刃５を有し、元部にカバー６を有し、このカバー６内には該回転刃５を回転することが出来るモーター（図示せず）が内蔵されている。
【００１８】
前記基板３は外装壁の表面に沿って摺動することが出来る構造を有し、かつその先端部の前記回転刃５に隣接する部分には巾広の切欠部７が穿設されている。
【００１９】
前記フレーム４は回転式切削工具２を挿入し得る胴筒部８とその下端に取付けられた脚部９とより構成されている。該胴筒部８はネジ１０によってその内径を変えることが出来、胴筒部８内に挿入された回転式切削工具２を締付固定することが出来るように構成されている。
【００２０】
前記カバー６の脚部９の下端にはスライド板１１が取付けられており、このスライド板１１は、基板３上に設けられた一対のスライドガイド１２に沿って、基板３の前後方向に摺動し得るように構成されている。１３は脚部９の側方に穿設された棒状のハンドルであって、このハンドル１３を手で持って加工冶具１を外装壁に沿って移動することが出来るように構成されている。
【００２１】
本発明に係る加工冶具１の使用に当っては、該加工冶具１のハンドル１３を手に持って支持しながら建築物の外装壁の表面に沿ってスライド板１１を摺動させると共に、回転式切削工具２を稼動して回転刃５を回転させ、かつその先端を外装壁の表面に当接することによって、回転刃５で外装壁の一部を切削切削させて所定の巾と深さとを有する溝を穿設することが出来る。
【００２２】
本発明に係る加工冶具１に於ては、前述の如く、回転式切削工具２がフレーム４を介して基板３上に、約５０度〜７０度の角度を保って取付け固定されているので、回転式切削工具２の先端部の回転刃５が基板３の先端縁付近に配置されており、そのために従来の如く、回転装置のモーター部或はカバー部が入り隅部のコーナー部に干渉することがなく、該入り隅部の最深部まで溝加工をスムーズに行うことが出来る。
【００２３】
従って、本発明の加工冶具１を使用する場合には、従来機械加工が極めて困難であるとされていた建築物の入り隅部の外装壁、雨樋の下の外装壁等に溝加工を施工することが出来る。かつ、本発明の加工冶具１は、前述の構成と作用を有するので、未熟練者でも簡単に取扱って容易に施工することが出来、しかも溝の深さ、巾等を極めて精度良く切削加工することが出来る。
【００２４】
さらに、本発明の加工冶具１に於ては、基板３上に一対のスライドガイド１２を設けると共に、回転式切削工具２の脚部９の下端に取付けられたスライド板１１を該スライドガイド１２に沿って前後方向に摺動させることが出来るように構成したので、基板３を外装壁に密接させた状態で、回転式切削工具２をスライドガイド１２に沿って摺動させることによって、入り隅部の外装壁、雨樋の下の外装壁等に溝加工をスムーズに施工することも可能である。
【００２５】
【発明の効果】
本発明に係る加工冶具に於ては、ＡＬＣパネルで構成された外装壁の表面に溝加工を施すことが可能な回転式切削工具を、フレームを介して基板上に所定角度傾斜させて取付固定して加工冶具を構成したので、回転式切削工具の先端部を基板の先端縁に隣接させることが出来る。従って、該基板を外装壁の表面に沿って摺動させることによって、建築物の入り隅部の外装壁、雨樋の下の外装壁等の加工が困難な表面に精度が良い溝を簡単に施工することが出来る効果を有している。
【００２６】
さらに、本発明に係る加工冶具は、前述のように回転式切削工具の先端部が隣接する基板の所定部分に切欠部を設けて構成したので、回転式切削工具の切削によって生ずる切削屑をスムーズに排出すると共に、基板の先端部が入り隅部に干渉することを防止出来る効果があり、さらに回転式切削工具の先端に設けられた回転刃の位置を容易に確認出来る効果が得られるように構成されている。
【００２７】
本発明に係る加工冶具に於て、回転式切削工具を基板上のスライドガイドに沿って前後方向に移動し得る如く構成した場合、基板上で回転式切削工具のみをスライドガイドに沿って移動させることによって、加工が困難とされていた建築物の入り隅部、雨樋の下の外装壁等の外装壁に溝加工を精度良く施工することが出来る効果を有する。
【図面の簡単な説明】
【図１】本発明に係る加工冶具の正面図である。
【図２】図１の加工冶具の側面図である。
【図３】図１の加工冶具の平面図である。
【図４】図１の加工冶具の底面図である。
【符号の説明】
１　　　加工冶具
２　　　回転式切削工具（ルーター）
３　　　基板
４　　　フレーム
５　　　回転刃
６　　　カバー
７　　　切欠部
８　　　胴筒部
９　　　脚部
１０　　ネジ
１１　　スライド板
１２　　スライドガイド
１３　　ハンドル
【図１】
2004122617.tif 000003
【図２】
2004122617.tif 000004
【図３】
2004122617.tif 000005
【図４】
2004122617.tif 000006